(57)【要約】【課題】  本発明は、保護データを有する対象物品の不正開封防止装置を提供する。【解決手段】  不正開封防止装置（１０）及び方法が、安全に保護する対象物品（１６）の情報用の透明なカバーを備えている。カバーは、線の両側で向き合っている少なくとも二つの領域（２２，２４，２６）に光学的可変イメージ（２０）を有していて、対象物品からカバーあるいは一部を持ち上げると、カバーは、その線に沿って分離されるか分離可能となっている。【選択図】      図３
2005301266.tif 000002
【特許請求の範囲】
【請求項１】
基板における情報を保護するための不正開封防止パッチであって、該基板に接着可能なフィルムと、該フィルムにおける光学的可変イメージとを具備する不正開封防止パッチにおいて：
該フィルムは境界線の両側で向き合ってお互いに隣接した第一及び第二領域とを有していて、該境界線は該第一及び第二領域との間にあって、該第一及び第二領域は、該境界線に沿ってお互いから分離された又は分離可能な少なくとも一方であり；
該光学的可変イメージはその部分が該第一及び第二領域各々にあって、該光学的可変イメージは、非常に精密なディテール構成要素を有していて、該第一及び第二領域との少なくとも一方が該基板から分離した場合該イメージは変化するようになっている；
不正開封防止パッチ。
【請求項２】
該境界線が該第一領域と該第二領域とをお互いに分離するミシン目となっている、請求項１に記載の不正開封防止パッチ。
【請求項３】
該境界線が該フィルムにおける貫通切れ目である請求項１に記載の不正開封防止パッチ。
【請求項４】
該境界線が該第一及び第二領域間の弱くなった領域となっている、請求項１に記載の不正開封防止パッチ。
【請求項５】
該境界線が該フィルムにスコーリングされている、請求項４に記載の不正開封防止パッチ。
【請求項６】
該第一及び第二領域が異なるサイズと形状とである、請求項１に記載の不正開封防止パッチ。
【請求項７】
不正開封防止対象物品であって：
保護するべき表面を有している基板と；
該表面におけるフィルムと；
該フィルムにおける光学的可変イメージであって、該光学的可変イメージの第一及び第二区域が該フィルムの第一及び第二領域である、イメージと；
該第一及び第二領域との間の境界線であって、該第一及び第二領域が該境界線に沿ってお互いに分離されたあるいは分離可能な少なくとも一方である境界線と；を具備する不正開封防止パッチにおいて：
該光学的可変イメージは、該第一及び第二領域との少なくとも一方が該基板から分離されると、該第一及び第二領域との間において変化を示めすべく、非常に精密なディテールを有している；
不正開封防止対象物品。
【請求項８】
該境界線が該第一領域と該第二領域とをお互いに分離するミシン目となっている、請求項７に記載の不正開封防止対象物品。
【請求項９】
該境界線が該フィルムにおける貫通切れ目である、請求項７に記載の不正開封防止対象物品。
【請求項１０】
該境界線が該第一及び該第二領域間の弱くなった領域となっている、請求項７に記載の不正開封防止対象物品。
【請求項１１】
該境界線が該フィルムにスコーリングされている、請求項１０に記載の不正開封防止対象物品。
【請求項１２】
該第一及び第二領域が異なるサイズと形状とである、請求項７に記載の不正開封防止対象物品。
【請求項１３】
該フィルムが、第三領域及び第二境界線と該光学的可変イメージとを有している、請求項７に記載の不正開封防止対象物品。
【請求項１４】
該境界線が直線である、請求項７に記載の不正開封防止対象物品。
【請求項１５】
情報を備えた基板を有する不正開封防止対象物品の製造方法であって、該製造方法が：
フィルムを準備する段階であって、該基板における情報が該フィルムを通して検出できるようになっているフィルムを準備する段階と；
該フィルム上に光学的可変イメージを形成する段階と；
該フィルムを該表面に取り付ける段階と；
該境界線の両側で向き合っている第一及び第二領域とを形成するために、境界線に沿って該光学的可変イメージを貫通して該基板を弱め加工する段階あるいは切り目加工する段階の少なくとも一方と；
を含んでいる製造方法。
【請求項１６】
該境界線に沿って該光学的可変イメージを貫通して該基板をミシン目加工する段階を含んでいる、請求項１５に記載の製造方法。
【請求項１７】
該境界線に沿って該光学的可変イメージを貫通して該基板を切り目加工する段階を含んでいる、請求項１５に記載の製造方法。
【請求項１８】
該境界線に沿って該光学的可変イメージを貫通して該基板を弱め加工するために該基板をスコーリングする段階を含んでいる、請求項１５に記載の製造方法。
【請求項１９】
該境界線に沿って該光学的可変イメージを貫通して該基板を弱め加工する段階を含んでいる、請求項１５に記載の製造方法。
【請求項２０】
書類を不正開封した可能性を検出する検出方法であって、該書類がその上にフィルムを有していて、該フィルムがその中に光学的可変イメージを有している検出方法において、検出方法が：
該光学的可変イメージの第一及び第二領域と、該光学的可変イメージを貫通し、該第一及び第二領域とをお互いに分離している境界線とをさがし出す段階と；
該境界線の両側で向き合っている該光学的可変イメージの特性を評価する段階と；
該境界線の両側で向き合っている該光学的可変イメージの変化を決定する段階と；
を含んでいる検出方法。
【発明の詳細な説明】
【技術分野】
【０００１】
本発明は、身元確認資料におけるデータを表面の損耗、偽造及び／又は差換えから安全に保護するために表面の保護を必要とする身元確認資料、同じくプラスチック製カード及び紙製カードの不正開封防止装置に関するものであって、より詳しくは、ホログラフィックイメージ又は光学的可変イメージ（optically variable image）及び／又はパターンを使用した不正開封防止装置に関するものである。
【背景技術】
【０００２】
プラスチック製若しくは紙製カード、パスポート及び他のタイプの身元確認資料の表面に印刷されたデータ、写真及び他の情報を取り扱いや使用により生じる損耗及び破損から保護するために、透明プラスチック製のポーチ、パッチ、積層体又はカバーを使用することは公知である。書類表面上のポリエステル製又は他のプラスチック製カバーは、書類に含まれている情報の差換えを思い止まらせるものであり、従って情報に対する限定された度合の安全性を提供している。このタイプの透明なポリエステル又は他のプラスチックフィルムパッチ又は積層体は、カード又は書類の表面を加熱及び加圧するものとして公知である。しかしながら、そのようなカバーはパッチを加熱することにより、かつ書類の表面から持ち上げることにより除去できるものでもある。ポリエステル又は他のプラスチックフィルムが除去されると、書類に含まれている情報は容易に差換え又は偽造することができる。書類における情報が差換えられた後に、新しい透明なポリエステルカバーが塗布され、差換えを書類をオリジナルと見なすものにすることができる。
【０００３】
そのようなポリエステル又は他のプラスチックフィルムパッチを備えた書類の安全性の度合を高めるために、ポリエステルパッチ又は表面カバーの一部としてホログラムあるいは光学的可変イメージ又はパターンを使用することが知られている。そのような安全パッチは、光学的に可変な又はホログラフィックな又は回折する機械的なイメージ及び／又はパターンを含んでいて、そのイメージ又はパターンは、製造プロセス中に各パッチの下側に塗布される熱可塑性プラスチック自身の中に、又は塗料の中に永久的に浮彫り加工される。製造プロセスにおいて、イメージ又はパターンが浮彫り加工、成型加工、又は他の方法でパッチに形成された後に、感熱式接着剤がパッチに塗布される。このタイプのパッチを除去する場合、もしそれが透明なパッチと差換えられると、書類が差換えられたものであることが明瞭になる。というのは、光学的可変イメージは、もはや書類に対するカバーを表わすものではないからである。光学的可変イメージを形成するために必要とされる機械加工及びプロセスは、複雑であり、コストを要するために、かつホログラム等のような光学的可変イメージを複製することに伴なう困難さのために、偽造及び／又は差換えは、単純な透明ポリエステルパッチを備えた書類の偽造又は差換えと比較して減少してきた。しかしながら、新しい技術が開発され、書類及びそれに含まれる情報の固有の価値が増大するに従って、書類を偽造あるいは不正開封しようとする者の一歩先をゆくために、より効果的で改善された不正開封防止装置を提供する要求及び必要性がある。
【０００４】
他の不正開封防止装置は、例えば“はく離コーティング”、目視できない印刷模様又はボイドあるいは目視可能な安全印刷、すなわち比較的高価なＵＶ，ＩＲ又は他のインクカバー技術として公知である。そのような公知な装置は、塗料に固有な他の問題がある。ディファレンシャルコーティング（differential coating）を製造中に調節することは相反することでありかつ困難なことである。はく離化学は、カード、又は書類、又は通常のインキ、塗料又は非化学物を用いて容易に複製できる、印刷若しくはシルクスクリーンされた不正開封防止物体にパッチを接着することを妨げている。従って、対コスト効果があり、安全性の高い、物理的に安定した新しい不正開封防止装置の開発を続ける必要性がある。
【発明の開示】
【発明が解決しようとする課題】
【０００５】
本発明は、転写手段により印刷あるいは接着された保護データを有する対象物品の不正開封防止装置を提供するものであって、その装置は、光学的可変イメージ又はホログラムを有するフィルムを含んでいて、もし不正開封されると、イメージは確実に検出できるように変化する。
【課題を解決するための手段】
【０００６】
一つの実施形態において、本発明は、プラスチック又は紙のような基板上の情報を保護するための不正開封防止パッチを提供していて、その基板は、基板表面に取り付け可能なフィルムを備えている。フィルムパッチ又は積層体が所定領域を有していて、その所定領域は、お互いに隣接しているけれど、型抜き、ミシン目、スリット、又は領域間における他の境界線により分離されている。領域は境界線に沿ってお互いに分離されるか分離可能になっている。光学的可変イメージ又はホログラムは、フィルムの特定位置に一つ以上の境界線と重なって、浮彫り加工、成型加工又は他の方法で取り付けられている。イメージ又はパターンは、非常に精密な光学的に可変な又はホログラフィックのディテール構成要素を有していて、特定領域の少なくとも一つが基板から分離されると変化が生ずるようになっている。
【０００７】
他の実施形態において、本発明は、保護するべき基板と、基板表面上のフィルムとを備えた不正開封対象物品を提供するものである。フィルムに組み込まれた光学的可変イメージ又はパターンは、フィルムの特定領域を規定している。領域間の境界線は、もしフィルムを除去しようとすると、領域が境界線に沿ってお互いに分離するようになっている。イメージは非常に精密なものであって、少なくとも一つの領域が基板から分離すると領域間で変化あるいは不整列を示めすようになっている。
【０００８】
さらなる実施形態において、身分証明書又はパスポートのような、情報が記載され転写され印刷された基板を有する不正開封防止対象物品の製造方法を提供している。製造方法が：フィルムを準備する段階と；該フィルム上にホログラムのような光学的可変イメージを形成する段階と；該フィルムを該表面に取り付ける段階と；該境界線の両側で向き合っている第一及び第二領域とを形成するために、境界線に沿って該光学的可変イメージを貫通して該基板を弱め加工する段階あるいは切り目加工する段階の少なくとも一方と；を含んでいる。
【０００９】
さらなる実施形態において、本発明は書類の不正開封した可能性を検出する方法を提供している。書類はフィルムを有していて、フィルムは光学的可変イメージを有している。検出方法が：該光学的可変イメージの第一及び第二領域と、該光学的可変イメージを貫通し、該第一及び第二領域とをお互いに分離している境界線とをさがし出す段階と；該境界線の両側で向き合っている該光学的可変イメージの特性を評価する段階と；該境界線に該光学的可変イメージの変化を決定する段階と；を含んでいる。
【発明の効果】
【００１０】
本発明の利点は、最小のコスト増加で公知の装置に対して安全性を改善した不正開封防止装置を提供することである。
【００１１】
本発明の利点は、現在するプロセスに組み込むことのできる改善された不正開封防止装置を提供することである。
【００１２】
本発明の利点は、安価で効果的で信頼性のある不正開封防止装置を提供することである。
【００１３】
以下の詳細な説明、特許請求の範囲及び図面を検討することにより、当業者においては、本発明における他の特徴及び利点がより明瞭になるであろう。なお図面において、同一符号は同一部品を表示している。
【発明を実施するための最良の形態】
【００１４】
本発明の実施形態を詳述するのに先立って、本発明は、本発明の用途が以下の説明あるいは図面に例示する詳細構造及びコンポーネントの配列に限定されるものではないことが理解されるべきである。本発明は、限定するものではないが透明な感圧ラベル又は積層フィルム又は種々な方法で実施実行されている他の実施形態も可能である。ここで使用されているフレーズ及び用語は説明用のものであって限定するためのものではないことが理解されるべきである。ここで使用する“含んでいる”、“具備する”等は、その後に記載された項目及び同等な項目、そしてさらなる項目及び同等な項目を包含することを意味している。
【００１５】
図１において、符号１０は本発明による不正開封防止パッチを示めしている。図１は、使用するために適切なスプール１４におけるウェブ１２の一部として備えられた複数の個々のパッチ１０を図示していて、以下に詳述する。書類又は対象物品１６（図３）が、保護するべき情報を有している基板１８の表面に貼りつけられた不正開封防止パッチ１０を含んでいる。
【００１６】
図３において、対象物品１６はクレジットカード、身分証明書、免許、パスポート、又は秘密あるいは少なくとも重要な情報若しくはデータを有している他の同様な装置であって、それらのセキュリテー及び安全性が重要なものである。カードとして図示される場合、対象物品１６は他のタイプの書類であってもよくて、本発明の不正開封防止パッチ１０は書類の情報を保護し守るために使用されてもよい。不正開封防止パッチ１０が基板１８における秘密の又は保護する情報をおおって貼りつけられるので、情報の不正開封又は差換えには、不正開封防止パッチ１０の全部又は一部を除去する必要がある。本発明において、不正開封防止パッチ１０の又はその一部の除去は、対象物品１６の情報を不正開封した可能性のエビデンスとして検知可能である。
【００１７】
パッチ１０は、ポリエステル又は他の透明な材料のフィルムであって、フィルムを通して基板１８における情報を見ることができあるいは識別することができる。光学的に可変な又はホログラフィックな又は回折する機械的イメージの性質を備えたイメージ２０が、パッチ１０の中又は上に永久的に浮彫り加工され、又は成型加工され、又は他の方法で取り付けられている。当業者においては、イメージ２０が浮彫り加工、又は成型加工により、パッチ１０に備えられたフィルム又はいずれかの熱可塑性コーティングの層に形成されてもよいことが理解されるであろう。
そのようなコーティングは、例えば接着増進剤、色彩塗料、大きな屈折率の塗料を用いた浮彫り塗装（embossing coat）を含んでいる。最終塗料は、好ましくはイメージ２０が形成された後に塗布され、例えば下塗り又はタイコーティング（tie coating）と、パッチ１０を基板１８に接着するための感熱接着層又は圧感接着層とを含んでいてもよい。そのようなイメージをパッチ１０に形成する方法は当業者において公知であるので、ここでは詳述しない。
【００１８】
イメージ２０は、図において複数の線として図示されているけれども、ホログラフィック手法又は光学的可変手法（optically variable technique）により作られた、画像又は他の適切な公印及び紋章のような証印、グリッド又はグラフィックデザインの形態の色が変わる又は回折する模様又はイメージであってもよい。例えば、免許証等のような公文書は、州の公印、州の地図又は他の発行元が容易に識別可能な紋章のホロブラムを備えていることは公知である。身分証明書、クレジットカード等は識別可能なホログラフィックイメージ又は光学的可変イメージを含んでいることは公知である。イメージはパッチ１０の一部分にだけしか図示されていないが、イメージ２０はパッチ１０の全面あるいはパッチ１０の一つ以上の分割された部分に備えられてもよい。
【００１９】
図示されているように、パッチ１０は、二つ以上の規定された領域２２，２４，２６を備えていて、その三つの領域２２，２４，２６が図示されている。本発明のパッチ１０は、本発明の用途に適切なように二領域、三領域又は三領域以上であってもよいことが理解されるべきである。領域２２，２４及び２６は境界線２８及び３０によりお互いが規定されている。境界線２８及び３０は、図の例示の実施形態においてパッチ１０の一方側から反対側へ延伸しているほぼ直線で図示されていて、同一長さであるが幅の異なるほぼ長方形領域２２，２４，２６が規定されるようになっている。他の実施形態において二領域だけがパッチ１０に備えられていて、従って単一の境界線が必要とされる。三領域以上を備えた実施形態においては、二つ以上の境界線が必要であろう。境界線２８，３０は直線である必要はなくて、湾曲、ジグザグ又は他の形状であってもよいことは理解されるべきである。さらに、各領域がパッチ１０を完全に横切っている必要はない。例えば、一領域が他の領域から、他の領域における中心の円として、又は他の領域における正方形若しくは他の形状として分離されていてもよい。
【００２０】
境界線２８，３０はパッチ１０の中に配置されていて、従って個々の領域２２，２４，２６はお互いに分離又は容易に分離できるようになっている。従って境界線２８，３０は、パッチ１０を基板１８から持ち上げた場合完全に引き裂けるミシン目線形状であってもよい。他の実施形態において、境界線２８，３０は、パッチ１０における弱い部分を形成するために、パッチ１０を貫通する物理的切り目又はパッチ１０の厚みにおけるスコーリングライン（scord line）となっていて、その弱い部分は、パッチ１０を基板１８から持ち上げた場合完全に引き裂けるようになっている。境界線２８，３０の他の形状も考えられ、そのような境界線２８，３０の実施形態すべてが図における点線として表示されている。境界線２８，３０は、パッチ１０の全体あるいは一部分が基板１８から持上げられると、隣接する領域２２，２４，２６の間で物理的分離が生じるようになっている。
【００２１】
図４に図示するようなほぼ平行に隣接する領域２２，２４，２６において、領域２４の両側となる領域２２又は２６の一方あるいは両方が基板１８から持ち上げられると、隣接する領域２２，２４，２６の間で、物理的な分離、変形又は引き裂きが生じる。従って、もし領域２２が基板１８から持ち上げられると、領域２２と２４との間で、境界線２８に沿って物理的分離が生じる。同様に、もし領域２６が基板１８から持ち上げられると、領域２６と２４との間で境界線２８に沿って物理的分離が生じる。図５に図示するように、もし中央領域２４だけが基板１８から持ち上げられると、同様な分離が生じる。物理的な分離は、領域２２と２４との間及び領域２４と２６との間で境界線２８及び３０に沿って生じる。
【００２２】
イメージ２０は境界線２８，３０の一方又は両方をおおって延在していて、そして図示された実施形態においては、領域２２，２４及び２６それぞれの領域２０ａ，２０ｂ及び２０ｃに延在している。イメージ２０は、光学的に可変な又はホログラフィックな特性を示めす非常に精密なディティールグラフィックを含んでいて、もしパッチ１０が、それを基板１８から分離しようと不正開封されると、境界線２８及び３０の一つ以上に沿った物理的分離が、境界線２８及び３０の両側におけるイメージのゆがみ及び不整列をもたらすようになっている。
【００２３】
パッチ１０の材料は、加熱されると膨脹し、冷却されると収縮する。従って、もしパッチ１０の一部あるいは全部を除去するべく接着剤を柔軟にするために加熱すると、加熱中は膨脹し、そしてパッチが冷えると収縮する。しかしながら膨脹及び収縮量は、膨脹、収縮される関連する部分のサイズに依存している。異なるサイズ及び／又は形状の領域２２，２４，２６において、膨脹及び収縮量はお互いの領域で異なってくる。さらに、領域２２，２４，２６の処置及び処理が、領域２２，２４及び２６のサイズ及び形状にもとずく、材料の異なる方向への伸びをもたらしている。
【００２４】
分離が境界線２８又は３０に沿って生じたとき、イメージの一部分がパッチの領域２２，２４，２６の一つに残っていて、イメージの他の部分は隣接する領域２２，２４又は２６に残っているように、イメージ２０は形成され配置されている。領域２２，２４及び２６を一体にもどそうとするとき、イメージあるいは模様の部分は、異なる領域における膨脹・収縮割合が異なっているために整列させることができない。その結果、検査員又は検査官は、例えば拡大鏡３２（図６）のような目視補助具を用いて、イメージ２０の領域２０ａ，２０ｂ及び２０ｃと、イメージの領域間の境界線２８及び３０をさがし出すことができる。検査員は、差換え及び／又は偽造を検出するために、イメージ２０における線及び模様の不整列あるいはゆがみにもとずいて、境界線２８，３０の両側で向き合っている特徴を評価し比較する。一連の不連続線で表示されたゆがんだイメージ３４が図６に図示されている。もしイメージに何か不具合なものが識別されると、カードあるいは書類は無効、疑いありと識別され、又は合法的使用から排除あるいは拒否される。
【００２５】
パッチ１０の接着方法において、フィルム材料が準備され、イメージ２０がその上に作られる。図２に図示するように、フィルム１０は、基板１８に積層化あるいは圧力作動プロセス４０で接着されていて、パッチ１０はウェブ１２を有しているスプール１４から供給されている。フィルム１０を基板１８に接着する前に、情報又はデータが好ましくは基板１８に印刷あるいは他の方法で記載される。ウェブ１２は、複数のパッチ１０が作られる連続長さのフィルムであってもよいし、あるいは、ウェブ１２が、個別の基板１８ピースに接着するために、適切に離間され支持された複数の個別のパッチ１０を保持している支持ウェブ（carrier web）であってもよい。パッチ１０は、積層ロール４２からの加熱及び加圧を用いて、又はもし感圧接着剤が使用されるなら加圧のみを用いて基板１８に接着される。境界線２８，３０は、好ましくはパッチ１０が基板１８に接着される前にパッチ１０に作られ、ホログラフィックイメージ又は光学的可変イメージがパッチ１０に浮彫加工、又は成型加工又は他の方法で取り付けられた後に、最終接着剤がパッチ１０に接着される。境界線２８，３０は、パッチ製造プロセス時に又は積層後に図２において符号４４で示めす矢印で図示されるように、打ち抜き加工、又は回転ホィールを用いた切断等により作られてもよい。別の製作方法において、もし対象物１６が積層プロセス中に加熱されたなら冷却された後に、境界線２８，３０の成形は、積層用ロール４２から下流側に多少離れたところで行なわれてもよい。すべてのパッチ１０が積層プロセス中又は別の製作方法において境界線２８，３０の成形の前に、単一ボデーとして共に加熱及び冷却されるので、イメージ２０はゆがめられないままである。一つの製作方法において、パッチ１０を基板１８に接着するためにもし感圧接着剤が使用され加熱が不要な場合、矢印４４における境界線２８，３０の成形は、積層用ロール４２より近接して行なうことができる。ウェブ１２又はそれの残存物はワィンドアップ４６において収集される。
【００２６】
本発明の一つの実施形態において、境界線２８，３０が基板１８に載置されたパッチ１０に成形されるなら；貫通切り目による完全な分離が隣接する領域２２，２４及び２６の間で行なうことができる。代りに、領域２２，２４，２６におけるそれに隣接する他の領域２２，２４，２６に対するいずれのわずかな移動もが、隣接する領域２２，２４，２６の間の直接的な物理的分離を引き起こすように、パッチ１０が境界線２８，３０に沿ってミシン目あるいはスコーリングにより十分に弱められてもよい。
【００２７】
前述した実施形態の変更と修正とは本発明の範囲内である。ここに開示し規定された本発明は、明細書及び／又は図面に記載されたあるいはそれらから明瞭な個々の形態の二つ以上の組合せすべてを拡張されるものである。これらの異なる組合せは本発明の種々の別の実施形態を構成している。ここに説明した実施形態は発明を実施するための最良の形態を説明するものであって、当業者においては本発明を実施することが可能である。特許請求の範囲には、従来技術により認められる範囲の別の実施形態を包含しているものと解釈されるべきである。
【００２８】
本発明の種々の実施形態は特許請求の範囲に規定されている。
【図面の簡単な説明】
【００２９】
【図１】図１は、本発明における不正開封防止パッチの供給ロールの斜視図である。
【図２】図２は、加熱及び／又は加圧により不正開封防止パッチを書類又は対象物品、紙若しくはプラスチックに貼りつけるためのプロセスの概略図である。
【図３】図３は、本発明における不正開封防止パッチを貼りつけた書類又は対象物品の斜視図である。
【図４】図４は、不正開封防止書類又は対象物品の斜視図であって、不正開封防止パッチの一部分がはがされているものである。
【図５】図５は、図４と同様の斜視図であるけれども、不正開封防止パッチの異なる部分がはがされているものである。
【図６】図６は、不正開封防止パッチの拡大部分平面図であって、不正開封防止方法が明瞭に明示されている。
【符号の説明】
【００３０】
１０    不正開封防止パッチ
１６    書類、対象物品
１８    基板
２０    イメージ
２２，２４，２６    領域
２８，３０    境界線
【図１】
2005301266.tif 000003
【図２】
2005301266.tif 000004
【図３】
2005301266.tif 000005
【図４】
2005301266.tif 000006
【図５】
2005301266.tif 000007
【図６】
2005301266.tif 000008